(57)【要約】  ワイヤレス通信システムにおけるビーム失敗リカバリのための方法を提供する。ワイヤレス通信システムは、ＵＥと基地局とを含む。この方法は、以下のアクションを含む。第１のＢＷＰ構成、第２のＢＷＰ構成、およびＢＷＰ非アクティビティタイマが、基地局からＵＥによって受信される。ＢＷＰ非アクティビティタイマが満了したとき、ＵＥは、第１のＢＷＰから第２のＢＷＰに切り替えられるように構成され、第１のＢＷＰが第１のＢＷＰ構成に対応し、第２のＢＷＰが第２のＢＷＰ構成に対応する。ビーム失敗リカバリプロシージャが引き起こされるか否かが、ＵＥによって判定される。ＢＷＰ非アクティビティタイマは、ビーム失敗リカバリプロシージャが引き起こされたとき、ＵＥによって停止される。
2021505039.tif 000002
【特許請求の範囲】
【請求項１】
ビーム失敗リカバリ要求を送信するステップと、
応答を受信するステップと、
ビーム失敗リカバリＰＤＣＣＨ監視構成によって前記応答が監視され、前記応答が正常に受信された場合、ビーム失敗リカバリが正常（successful）であると判定するステップと、
ビーム失敗リカバリタイマ（beamFailureRecoveryTimer）を停止するステップと、を含む、ワイヤレス通信システムにおいて、ユーザ機器（ＵＥ）が前記ビーム失敗リカバリを実行するための方法。
【請求項２】
基地局から第１の帯域幅部分（ＢＷＰ）構成、第２のＢＷＰ構成およびＢＷＰ非アクティビティタイマを受信するステップと、
ビーム失敗リカバリプロシージャが引き起こされるか否かを決定するステップと、
前記ビーム失敗リカバリプロシージャが引き起こされた場合、前記ＢＷＰ非アクティビティタイマを停止するステップと、をさらに含み、
前記ＵＥは、前記ＢＷＰ非アクティビティタイマが満了したときに第１のＢＷＰから第２のＢＷＰに切り替えられるように構成され、
前記第１のＢＷＰは前記第１のＢＷＰ構成に対応し、前記第２のＢＷＰは前記第２のＢＷＰ構成に対応する、請求項１に記載の方法。
【請求項３】
前記第１のＢＷＰ構成はビーム失敗リカバリ構成をさらに含み、
前記ビーム失敗リカバリ構成は、コントロールリソースセットに関連付けられる、請求項２に記載の方法。
【請求項４】
前記ＵＥが、前記基地局により構成された切り替えコマンドを受信したとき、初期アクティブＢＷＰから現アクティブＢＷＰへ切り替えるステップをさらに含み、
前記初期アクティブＢＷＰは前記第２のＢＷＰ構成に対応し、前記現アクティブＢＷＰは前記第１のＢＷＰ構成に対応する、請求項２に記載の方法。
【請求項５】
前記ＵＥが前記現アクティブＢＷＰ上で送信されたとき、前記ビーム失敗リカバリプロシージャが引き起こされ、
前記方法は、
前記現アクティブＢＷＰから前記初期アクティブＢＷＰに切り替えるステップと、
前記初期アクティブＢＷＰ上で前記基地局へビーム失敗リカバリ要求を送信するステップと、
前記初期アクティブＢＷＰ上で前記基地局からのビーム失敗リカバリ応答を監視するステップと、をさらに含む、請求項４に記載の方法。
【請求項６】
前記ビーム失敗リカバリプロシージャは部分ビーム失敗リカバリプロシージャであり、
物理下りリンク制御チャネル（ＰＤＣＣＨ）の品質が閾値を下回る場合、前記ＵＥは、前記部分ビーム失敗リカバリプロシージャを引き起こす、請求項２に記載の方法。
【請求項７】
前記第１のＢＷＰ上でのＰＤＣＣＨの前記品質が前記閾値を下回る場合、前記第１のＢＷＰから前記第２のＢＷＰに切り替えるステップと、
前記基地局に部分ビーム失敗リカバリ要求を送信するステップと、
前記基地局からの部分ビーム失敗リカバリ応答を監視するステップと、をさらに含む、請求項６に記載の方法。
【請求項８】
前記部分ビーム失敗リカバリ要求は、物理上りリンク制御チャネル（ＰＵＣＣＨ）を介して送信される、請求項７に記載の方法。
【請求項９】
前記部分ビーム失敗リカバリ要求は、ランダムアクセスチャネル（ＲＡＣＨ）を介して送信される、請求項７に記載の方法。
【請求項１０】
前記部分ビーム失敗リカバリ要求は、前記第２のＢＷＰ上で送信される、請求項７に記載の方法。
【請求項１１】
ビーム失敗リカバリ要求を送信し、
応答を受信し、
ビーム失敗リカバリＰＤＣＣＨ監視構成によって前記応答が監視され、前記応答が正常に受信された場合、ビーム失敗リカバリが正常（successful）であると判定し、
ビーム失敗リカバリタイマ（beamFailureRecoveryTimer）を停止するための命令を実行するように構成されたプロセッサを備える、ユーザ機器（ＵＥ）。
【請求項１２】
ビーム失敗リカバリプロシージャが引き起こされたとき、前記プロセッサは、
基地局から第１の帯域幅部分（ＢＷＰ）構成、第２のＢＷＰ構成およびＢＷＰ非アクティビティタイマを受信し、
ビーム失敗リカバリプロシージャが引き起こされるか否かを決定し、
前記ビーム失敗リカバリプロシージャが引き起こされた場合、前記ＢＷＰ非アクティビティタイマを停止するための命令をさらに実行するよう構成されており、
前記ＵＥは、前記ＢＷＰ非アクティビティタイマが満了したときに第１のＢＷＰから第２のＢＷＰに切り替えられるように構成され、
前記第１のＢＷＰは前記第１のＢＷＰ構成に対応し、前記第２のＢＷＰは前記第２のＢＷＰ構成に対応する、請求項１１に記載のＵＥ。
【請求項１３】
前記第１のＢＷＰ構成はビーム失敗リカバリ構成をさらに含み、
前記ビーム失敗リカバリ構成は、コントロールリソースセットに関連付けられる、請求項１２に記載のＵＥ。
【請求項１４】
前記プロセッサは、前記ＵＥが、前記基地局により構成された切り替えコマンドを受信したとき、初期アクティブＢＷＰから現アクティブＢＷＰへ切り替えるための命令をさらに実行するよう構成されており、
前記初期アクティブＢＷＰは前記第２のＢＷＰ構成に対応し、前記現アクティブＢＷＰは前記第１のＢＷＰ構成に対応する、請求項１２に記載のＵＥ。
【請求項１５】
前記ＵＥが前記現アクティブＢＷＰ上で送信されたとき、前記ビーム失敗リカバリプロシージャが引き起こされ、
前記プロセッサは、
前記現アクティブＢＷＰから前記初期アクティブＢＷＰに切り替え、
前記初期アクティブＢＷＰ上で前記基地局へビーム失敗リカバリ要求を送信し、
前記初期アクティブＢＷＰ上で前記基地局からのビーム失敗リカバリ応答を監視するための命令をさらに実行するよう構成されている、請求項１４に記載のＵＥ。
【請求項１６】
前記ビーム失敗リカバリプロシージャは部分ビーム失敗リカバリプロシージャであり、
前記プロセッサは、物理下りリンク制御チャネル（ＰＤＣＣＨ）の品質が閾値を下回る場合、前記部分ビーム失敗リカバリプロシージャを引き起こすための命令をさらに実行するよう構成されている、請求項１２に記載のＵＥ。
【請求項１７】
前記プロセッサは、
前記第１のＢＷＰ上でのＰＤＣＣＨの前記品質が前記閾値を下回る場合、前記第１のＢＷＰから前記第２のＢＷＰに切り替え、
前記基地局に部分ビーム失敗リカバリ要求を送信し、
前記基地局からの部分ビーム失敗リカバリ応答を監視するための命令をさらに実行するよう構成されている、請求項１６に記載のＵＥ。
【請求項１８】
前記部分ビーム失敗リカバリ要求は、物理上りリンク制御チャネル（ＰＵＣＣＨ）を介して送信される、請求項１７に記載のＵＥ。
【請求項１９】
前記部分ビーム失敗リカバリ要求は、ランダムアクセスチャネル（ＲＡＣＨ）を介して送信される、請求項１７に記載のＵＥ。
【請求項２０】
前記部分ビーム失敗リカバリ要求は、前記第２のＢＷＰ上で送信される、請求項１７に記載のＵＥ。
【請求項２１】
基地局により、第１の帯域幅部分（ＢＷＰ）構成、第２のＢＷＰ構成およびＢＷＰ非アクティビティタイマをユーザ機器（ＵＥ）に送信するステップと、
前記ＵＥからのビーム失敗リカバリ要求を前記基地局により受信するステップと、
前記ビーム失敗リカバリ要求に応じて、部分ビーム失敗リカバリプロシージャおよび全ビーム失敗リカバリプロシージャのいずれが引き起こされるかを特定するステップと、
前記部分ビーム失敗リカバリプロシージャが引き起こされたとき、前記基地局によってビーム管理プロシージャを引き起こすステップと、を含み、
前記第１のＢＷＰ構成はビーム失敗リカバリ構成をさらに含み、
前記ビーム失敗リカバリ構成はコントロールリソースセットに関連付けられる、ワイヤレス通信システムにおける、ビーム失敗リカバリのための方法。
【請求項２２】
前記ビーム失敗リカバリ要求は物理上りリンク制御チャネル（ＰＵＣＣＨ）を介して送信され、
前記基地局は、ＢＷＰ指示が前記ＰＵＣＣＨにおいて受信されたとき、前記部分ビーム失敗リカバリプロシージャが引き起こされることを特定し、
前記ビーム管理プロシージャは前記ＢＷＰ指示に応じて引き起こされる、請求項２１に記載の方法。
【請求項２３】
前記ビーム失敗リカバリ要求はランダムアクセスチャネル（ＲＡＣＨ）を介して送信され、
前記基地局は、前記部分ビーム失敗リカバリプロシージャが引き起こされるか、または、前記全ビーム失敗リカバリプロシージャが引き起こされるかをＢＦＲプリアンブルに従って特定する、請求項２１に記載の方法。
【請求項２４】
前記基地局は、前記ビーム失敗リカバリ要求が非アクティブＢＷＰ上で受信されたとき、前記部分ビーム失敗リカバリプロシージャが引き起こされることを特定する、請求項２１に記載の方法。
【請求項２５】
第１の帯域幅部分（ＢＷＰ）構成、第２のＢＷＰ構成およびＢＷＰ非アクティビティタイマをユーザ機器（ＵＥ）に送信し、
前記ＵＥからのビーム失敗リカバリ要求を受信し、
前記ビーム失敗リカバリ要求に応じて、部分ビーム失敗リカバリプロシージャおよび全ビーム失敗リカバリプロシージャのいずれが引き起こされるかを特定し、
前記部分ビーム失敗リカバリプロシージャが引き起こされたとき、ビーム管理プロシージャを引き起こすための命令を実行するように構成されたプロセッサを備え、
前記第１のＢＷＰ構成はビーム失敗リカバリ構成をさらに含み、
前記ビーム失敗リカバリ構成はコントロールリソースセットに関連付けられる、基地局。
【請求項２６】
前記ビーム失敗リカバリ要求は物理上りリンク制御チャネル（ＰＵＣＣＨ）を介して送信され、
前記基地局は、ＢＷＰ指示が前記ＰＵＣＣＨにおいて受信されたとき、前記部分ビーム失敗リカバリプロシージャが引き起こされることを特定し、
前記ビーム管理プロシージャは前記ＢＷＰ指示に応じて引き起こされる、請求項２５に記載の基地局。
【請求項２７】
前記ビーム失敗リカバリ要求はランダムアクセスチャネル（ＲＡＣＨ）を介して送信され、
前記基地局は、前記部分ビーム失敗リカバリプロシージャが引き起こされるか、または、前記全ビーム失敗リカバリプロシージャが引き起こされるかをＢＦＲプリアンブルに従って特定する、請求項２５に記載の基地局。
【請求項２８】
前記基地局は、前記ビーム失敗リカバリ要求が非アクティブＢＷＰ上で受信されたとき、前記部分ビーム失敗リカバリプロシージャが引き起こされることを特定する、請求項２５に記載の基地局。
【発明の詳細な説明】
【技術分野】
【０００１】
（関連出願とのクロスレファレンス）
本出願は、２０１７年１１月２４日に出願された米国特許仮出願第６２／５９０，３８２号、発明の名称「Ｍｅｔｈｏｄ  ａｎｄ  Ａｐｐａｒａｔｕｓ  ｆｏｒ  Ｂｅａｍ  Ｄｅｔｅｃｔｉｏｎ  ａｎｄ  Ｒｅｃｏｖｅｒｙ  ｉｎ  ＢＷＰ  ｏｐｅｒａｔｉｏｎ」の利益及び優先権を主張するものであり、この出願は、参照により本出願に完全に組み込まれる。
【０００２】
本開示は、概して、無線通信方法に関し、とりわけ、無線通信システムにおけるビーム失敗リカバリのための装置および方法に関する。
【背景技術】
【０００３】
第５世代（５Ｇ）新無線（ＮＲ；New Radio）ワイヤレス通信システムでは、ＵＥが５Ｇ  ＮＲシステムで定義された広いシステム帯域幅で動作することを要求できないという課題を解決するために、帯域幅部分（ＢＷＰ；Bandwidth Part）がＮＲに導入されている。さらに、ＢＷＰは、ＵＥをより小さいＢＷＰにスケジューリングすることによって、ＵＥの電力節約をサポートすることもできる。具体的には、ＢＷＰ非アクティビティタイマがＵＥに構成される。ＢＷＰ非アクティビティタイマが満了すると、ＵＥは、デフォルトのＢＷＰに自動的にフォールバックする。このタイマはＵＥがアクティブＢＷＰにおいてＰＤＳＣＨをスケジュールするために、下りリンク制御情報（ＤＣＩ）を正常に復号した場合に、再始動される。さらに、無線リンク失敗（ＲＬＦ；Radio Link Failure）プロシージャおよびＲＲＣ再確立をトリガすることなく、ＵＥが一時的な信号品質劣化から回復することを可能にするために、５Ｇ  ＮＲワイヤレス通信システムにおいて、ビーム失敗リカバリプロシージャが導入されている。ビーム失敗リカバリプロシージャのために設計されたタイマがあるため、ＢＷＰスイッチングとビーム失敗リカバリプロシージャとの間の相互作用は、基地局と端末との間のＢＷＰの誤った位置合わせを回避するように十分に設計されるべきである。
【発明の概要】
【０００４】
本開示は、ワイヤレス通信システムにおけるビーム失敗リカバリのための装置および方法を対象とする。
【０００５】
本開示の一態様では、ワイヤレス通信システムにおけるビーム失敗リカバリのための方法が提供される。ワイヤレス通信システムは、ＵＥと基地局とを含む。前記方法は、以下のアクションを含む。第１のＢＷＰ構成、第２のＢＷＰ構成、およびＢＷＰ非アクティビティタイマが、前記基地局から前記ＵＥによって受信される。前記ＢＷＰ非アクティビティタイマが満了したとき、前記ＵＥは、第１のＢＷＰから第２のＢＷＰに切り替えられるように構成される。そして、前記第１のＢＷＰが前記第１のＢＷＰ構成に対応し、前記第２のＢＷＰが前記第２のＢＷＰ構成に対応する。ビーム失敗リカバリプロシージャが引き起こさされるか否かが、前記ＵＥによって判定される。ビーム失敗リカバリプロシージャが引き起こされたとき、前記ＢＷＰ非アクティビティタイマは、前記ＵＥによって停止される。
【０００６】
本開示の別の態様では、ＵＥが提供される。前記ＵＥは、以下の命令を実行するように構成されたプロセッサを含む。第１のＢＷＰ構成、第２のＢＷＰ構成、およびＢＷＰ非アクティビティタイマが、基地局から受信される。ＢＷＰ非アクティビティタイマが満了したとき、前記プロセッサは、第１のＢＷＰから第２のＢＷＰに切り替えられるように構成される。そして、前記第１のＢＷＰが前記第１のＢＷＰ構成に対応し、前記第２のＢＷＰが前記第２のＢＷＰ構成に対応する。ビーム失敗リカバリプロシージャが引き起こされるか否かが判定される。ビーム失敗リカバリプロシージャが引き起こされたとき、前記ＢＷＰ非アクティビティタイマは停止される。
【０００７】
本開示のさらに別の態様では、ワイヤレス通信システムにおけるビーム失敗リカバリのための方法が提供される。ワイヤレス通信システムは、ＵＥと基地局とを含む。前記方法は、以下のアクションを含む。第１のＢＷＰ構成、第２のＢＷＰ構成、およびＢＷＰ非アクティビティタイマが、前記基地局によって前記ＵＥに送信される。部分ビーム失敗リカバリプロシージャおよび全ビーム失敗リカバリプロシージャのいずれが引き起こされるかが、ビーム失敗リカバリ要求に応じて前記基地局によって特定される。前記部分ビーム失敗リカバリプロシージャが引き起こされたとき、ビーム管理プロシージャが前記基地局によって引き起こされる。
【０００８】
本開示のさらに別の態様では、基地局が提供される。前記基地局は、以下の命令を実行するように構成されたプロセッサを含む。第１のＢＷＰ構成、第２のＢＷＰ構成、およびＢＷＰ非アクティビティタイマが、ＵＥに送信される。部分ビーム失敗リカバリプロシージャまたは全ビーム失敗リカバリプロシージャのいずれが引き起こされるかが、ビーム失敗リカバリ要求に応じて特定される。前記部分ビーム失敗リカバリプロシージャが引き起こされたとき、ビーム管理プロシージャが引き起こされる。
【図面の簡単な説明】
【０００９】
例示的な開示の態様は、添付の図面と共に読まれるとき、以下の詳細な説明から最も良く理解される。様々な特徴は、一定の縮尺で描かれておらず、様々な特徴の寸法は議論を明確にするために任意に増減されてもよい。
【００１０】
【図１】本開示の例示的な実施形態に係るワイヤレス通信システムにおけるビーム失敗リカバリプロシージャの概略図である。
【００１１】
【図２】本開示の例示的な実施形態に係る、２つのＢＷＰ構成を有するワイヤレス通信システムにおいて実行される、ビーム失敗リカバリプロシージャのシナリオを示す概略図である。
【００１２】
【図３】本開示の例示的な実施形態に係るワイヤレス通信システムにおけるビーム失敗リカバリプロシージャのための方法のフローチャートである。
【００１３】
【図４】本開示の例示的な実施形態に係るワイヤレス通信システムにおけるビーム失敗リカバリプロシージャのための方法の概略図である。
【００１４】
【図５】本開示の例示的な実装に係るワイヤレス通信システムにおけるビーム失敗リカバリプロシージャのための方法の概略図である。
【００１５】
【図６】本開示の例示的な実施形態に係るワイヤレス通信システムにおけるビーム失敗リカバリプロシージャのための方法の概略図である。
【００１６】
【図７】本開示の例示的な実施形態に係るワイヤレス通信システムにおけるビーム失敗リカバリプロシージャのための方法のフローチャートである。
【発明を実施するための形態】
【００１７】
以下の説明は、本開示における例示的な実施形態に関連する特定の情報を含む。本開示における図面およびそれらの添付の詳細な説明は、単に例示的な実施形態に向けられている。しかし、本開示は、これらの例示的な実施形態のみに限定されるものではない。本開示の他の変形および実施形態は、当業者には想起されるであろう。特に断らない限り、図中の同様のまたは対応する要素は、同様のまたは対応する参照番号によって示されてもよい。さらに、本開示における図面および例示は、概して、一定の縮尺ではなく、実際の相対的な寸法に対応することを意図していない。
【００１８】
一貫性および理解の容易さのために、同様の特徴は（いくつかの例では、図示されていないが）、例示的な図では数字によって識別される。しかし、異なる実施形態における特徴は、他の点で異なっていてもよく、したがって、図面に示されるものに狭く限定されるものではない。
【００１９】
本明細書では「１つの実施形態で」または「いくつかの実施形態で」という語句を使用し、それぞれが同じまたは異なる実施形態のうちの１つまたは複数を指すことがある。「結合された(coupled)」という用語は、直接的であろうと、介在する構成要素を介して間接的であろうと、接続されたものとして定義され、必ずしも物理的接続に限定されない。「〜を備える（comprising）」という用語が使用される場合、[〜を含む（include）が、必ずしもこれに限定されない]ことを意味する。特に、そのように記載された組み合わせ、グループ、シリーズ、および均等物におけるオープンエンドの包含またはメンバーシップを示す。
【００２０】
本開示において、基地局は、ユニバーサル移動体通信システム（ＵＭＴＳ）や、ＬＴＥ−ＡにおけるようなノードＢ（ＮＢ）、ＵＭＴＳにおけるような無線ネットワークコントローラ（ＲＮＣ）、ＧＳＭ（登録商標）（Global System for Mobile Communication）／ＧＥＲＡＮ（GSM EDGE Radio Access Network）におけるような基地局コントローラ（ＢＳＣ）、５Ｇコアネットワーク（５ＧＣ）と通信するＥ−ＵＴＲＡ（Evolved Universal Terrestrial Radio Access）基地局におけるようなｎｇ−ｅＮＢ、５Ｇアクセスネットワーク（５Ｇ−ＡＮ）におけるような次世代ノードＢ（ｇＮＢ）、ＲＲＨ（Remote Radio Head）、ＴＲＰ（transmission and reception point）、セル、およびセル内の無線通信を制御し、無線リソースを管理することができる任意の他の装置を含むことができるが、これらに限定されない。基地局は、ネットワークへの無線インターフェースを介して１つまたは複数のＵＥにサービスを提供するように接続してもよい。
【００２１】
本開示において、ＵＥとしては、移動局、携帯端末または携帯機器、ユーザ通信無線端末が挙げられるが、これらに限定されない。例えば、ＵＥは携帯無線装置であってもよく、該携帯無線装置としては、無線通信能力を有する携帯電話、タブレット、ウェアラブルデバイス、センサおよび個人用デジタル補助装置（ＰＤＡ）、並びに、ＬＴＥアクセスモジュールまたは５Ｇ  ＮＲ（New Radio）アクセスモジュールを備える他の無線デバイスが挙げられるが、これらに限定されない。本開示において、ＵＥは、基地局を介して無線アクセスネットワークと通信するように構成される。
【００２２】
ＵＥまたは基地局は、これらに限定されないが、トランシーバ、プロセッサ、メモリ、および様々なコンピュータ可読媒体を備えることができる。トランシーバは、データを送信および／または受信するように構成された送信機および受信機を有する。プロセッサは、データおよび命令を処理することができる。プロセッサはインテリジェントハードウェアデバイス、例えば、中央演算処理装置（ＣＰＵ）、マイクロコントローラまたはＡＳＩＣを含むことができる。メモリはプロセッサに様々な機能を実行させるように構成されたコンピュータが可読かつ実行可能な命令（例えば、ソフトウェアコード）を記憶することができる。メモリは、揮発性および／または不揮発性メモリを含むことができる。メモリは、着脱可能なメモリ、着脱不可能なメモリ、またはそれらの組み合わせであってもよい。例示的なメモリとしては、ソリッドステートメモリ、ハードドライブ、光ディスクドライブなどが含まれる。コンピュータ記憶媒体は、コンピュータ可読命令、データ構造、プログラムモジュール、または他のデータといった情報を記憶する。コンピュータ可読媒体はアクセス可能な任意の利用可能な媒体とすることができ、揮発性および不揮発性媒体、着脱可能および着脱不可能媒体の両方を含む。一例として、コンピュータ可読媒体は、コンピュータ記憶媒体および通信媒体を含むが、これに限定されない。コンピュータ記憶媒体は、ＲＡＭ、ＲＯＭ、ＥＥＰＲＯＭ（登録商標）、フラッシュメモリまたは他のメモリ技術、ＣＤ−ＲＯＭ、デジタル多機能ディスク（ＤＶＤ）または他の光ディスクストレージ、磁気カセット、磁気テープ、磁気ディスクストレージまたは他の磁気ストレージデバイスを含む。
【００２３】
図１は、本開示の例示的な実施形態に係るワイヤレス通信システムにおけるビーム失敗リカバリプロシージャの概略図１００である。ワイヤレス通信システムは、１つまたは複数のＵＥと、１つまたは複数の基地局（ＢＳ）とを含む。ＢＳは、ＵＥがコントロールリソースセット（ＣＯＲＥＳＥＴ）構成を介して下りリンク（ＤＬ）データを受信するための監視を行うために、制御チャネル（例えば、物理下りリンク制御チャネル（ＰＤＣＣＨ））を設定する。ＵＥは、構成された基準信号（ＲＳ）を測定することによって、すべてのサービングＰＤＣＣＨの品質を監視する。全てのＰＤＣＣＨの品質が閾値よりも低いとき、ビーム失敗リカバリプロシージャが引き起こされる。一実装形態では、ＰＤＣＣＨの品質は、予め構成された同期信号（ＳＳ）ブロックによって表される。別の実施形態では、ＰＤＣＣＨの品質は、チャネル状態情報参照信号（ＣＳＩ−ＲＳ）によって表される。アクション１１０に示されるように、ＵＥが、すべてのサービングＰＤＣＣＨの品質が閾値未満であることを特定したとき、ビーム失敗がＵＥによって示され、これにより、ビーム失敗リカバリプロシージャが引き起こされる。
【００２４】
アクション１２０において、ＵＥは、すべての候補ＲＳを監視して、リカバリのための新しい適格ビームを選択する。アクション１３０において、ＵＥは、ビーム失敗リカバリ要求（ＢＦＲＱ）をＢＳに送信する。その後、ＵＥは、ＢＦＲＱの応答を監視する。アクション１４０において、ＵＥは、ＢＦＲＱの応答を受信する。
【００２５】
ビーム失敗リカバリプロシージャの時間およびリソースを制限するために、ビーム失敗のために設計されたタイマ（ビーム失敗リカバリタイマ、beamFailureRecoveryTimer）（タイマ＿ＢＦＲと表記する）がある。タイマ＿ＢＦＲは、（例えば、アクション１１０において）ビーム失敗が示されたときに開始し、タイマ＿ＢＦＲは（例えば、アクション１４０において）ＵＥがＢＦＲＱのレスポンスを正常に受信したときに停止する。タイマ＿ＢＦＲが満了する前にＵＥがリカバリする（例えば、ビーム失敗リカバリプロシージャを正常に完了する）ことができない場合、ＵＥはビーム失敗リカバリプロシージャがすでに失敗したとみなし、ビーム失敗リカバリプロシージャを中止する。さらに、ＵＥが長時間ＢＦＲＱを待つことを防止するために、ＢＦＲＱの応答を監視するために設計された別のタイマ（例えば、タイマ＿ＢＦＲＱとして表記するビーム失敗リカバリ要求タイマ）がある。タイマ＿ＢＦＲＱは、（例えば、アクション１３０において）ＢＦＲＱが送信されたときに開始し、タイマ＿ＢＦＲＱは、（例えば、アクション１４０において）ＵＥがＢＦＲＱの応答を正常に受信したときに停止する。タイマ＿ＢＦＲＱが満了する前にＵＥがＢＦＲＱの応答を受信することに失敗した場合、ＵＥはＢＦＲＱを再送信し、ＰＤＣＣＨの監視を継続する。タイマ＿ＢＦＲが満了するか、ＵＥがＢＦＲＱ送信の最大回数に到達すると、ビーム失敗リカバリプロシージャは失敗したと見なされる。これにより、ＵＥはＲＬＦプロシージャを引き起こし、ＲＲＣ接続の再確立を開始する。
【００２６】
図２は、本開示の例示的な実施形態に係る、２つのＢＷＰ構成を有するワイヤレス通信システムにおいて実行されるビーム失敗リカバリプロシージャのシナリオを示す概略図２００である。一実装形態では、ＵＥが複数のＢＷＰ（例えば、デフォルトＢＷＰおよび他のＢＷＰ）を用いて構成される。タイマ（例えば、ＢＷＰ非アクティビティタイマ）は、ＢＷＰ構成に関連付けられ、ＢＳによって構成される。ＢＷＰ非アクティビティタイマが満了したとき、ＵＥはアクティブＢＷＰからデフォルトＢＷＰに切り替わる。
【００２７】
図２において、アクション２１０に示すように、ビーム失敗リカバリプロシージャがアクティブＢＷＰ（例えば、ＢＷＰ１）上で示され、アクション２２０に示すように、ＵＥはアクティブＢＷＰ（例えば、ＢＷＰ１）上で候補ビームを見つける。ユーザ端末によって候補ビームが選択された後、アクション２３０に示すように、アクティブＢＷＰ（例えば、ＢＷＰ１）上でのＢＦＲＱのＢＳへの送信により、ビーム失敗リカバリプロシージャが引き起こされる。しかしながら、いくつかの実装形態では、ＢＷＰ非アクティビティタイマがＢＦＲＱの応答を受信する前に満了し、これにより、ＵＥはアクティブＢＷＰ（例えば、ＢＷＰ１）からデフォルトＢＷＰ（例えば、ＢＷＰ２）に切り替わる。このため、ＵＥは現在のアクティブＢＷＰ（例えば、ＢＷＰ非アクティビティタイマが満了した後のＢＷＰ２）上のＣＯＲＥＳＥＴを監視するように構成されているので、ＵＥは、（表示２４０に示すように）ＢＳからアクティブＢＷＰ（例えば、ＢＷＰ１）上でＢＦＲＱの応答を受信することができない。よって、ＢＷＰの切り替えによってビーム失敗リカバリプロシージャが中断され、ＢＦＲＱの応答のためのタイマが満了していなくても、ＵＥはＢＦＲＱの応答を受信することができない。
【００２８】
デフォルトＢＷＰに切り替えた後、ＵＥはアクション２５０において、候補ビームを見つけるためにすべてのビーム品質を測定し、アクション２６０において、現在のアクティブＢＷＰ（例えば、デフォルトＢＷＰ、ＢＷＰ２）上のＢＦＲＱを送信し、次いで、現在のアクティブＢＷＰ（例えば、デフォルトＢＷＰ２）上のＢＦＲＱの応答を監視する。これは、前のアクティブＢＷＰ上で適格なビームが選択された場合であっても、候補ビームを見つけるためにＵＥがすべてのビーム品質を測定しなければならないので、待ち時間の追加およびオーバーヘッドにつながる。さらに、タイマ＿ＢＦＲの残り時間は、ＵＥがビーム失敗リカバリプロシージャを完了するのに十分でないことがある。例えば、タイマ＿ＢＦＲは、（指示２７０に示すように）ＵＥがＢＦＲＱの応答を受信する前に満了し、ビーム失敗リカバリプロシージャが停止される。ビーム失敗リカバリプロシージャに及ぼすＢＷＰオペレーションの切り替えの影響を軽減するために、ビーム失敗リカバリプロシージャのいくつかの新しい設計が提案される。
【００２９】
図３は、本開示の例示的な実施形態に係るワイヤレス通信システムにおけるビーム失敗リカバリプロシージャのフローチャート３００である。この方法は、以下のアクションを含む。アクション３１０において、第１のＢＷＰ構成、第２のＢＷＰ構成、およびＢＷＰ非アクティビティタイマが、ＵＥによって基地局から受信される。ＵＥはＢＷＰ非アクティビティタイマが満了したとき、第１のＢＷＰから第２のＢＷＰに切り替えられるように構成され、第１のＢＷＰは第１のＢＷＰ構成に対応し、第２のＢＷＰは第２のＢＷＰ構成に対応する。アクション３２０において、ビーム失敗リカバリプロシージャが引き起こされるか否かが、ＵＥによって判定される。アクション３３０において、ビーム失敗リカバリプロシージャが引き起こされたとき、ＢＷＰ非アクティビティタイマがＵＥによって停止される。
【００３０】
一実施形態では、ビーム失敗リカバリプロシージャが引き起こされたとき、ＵＥはＢＳにＢＦＲＱを送信し、ビーム失敗リカバリ応答を監視する。いくつかの実装形態では、ビーム失敗リカバリ応答が正常に受信されたとき、ＢＷＰ非アクティビティタイマが開始する（例えば、継続するか、または再開される）。
【００３１】
一実施形態では、ＢＦＲＱが無競合ランダムアクセスチャネル（ＲＡＣＨ）（例えば、ビーム失敗リカバリ要求ＲＡＣＨリソース）を介して送信されてもよい。別の実装形態では各ＢＷＰがそれ自体のＰＵＣＣＨリソース構成を有し、ＢＦＲＱは物理上りリンク制御チャネル（ＰＵＣＣＨ）を介して送信されてもよい。
【００３２】
いくつかの実装形態では、ビーム失敗リカバリプロシージャのための個別のＣＯＲＥＳＥＴがアクティブＢＷＰおよびデフォルトＢＷＰの両方のために構成される。例えば、各ＢＷＰ構成はビーム失敗リカバリ構成をさらに含み、ビーム失敗リカバリ構成は、ＣＯＲＥＳＥＴに関連付けられる。ＵＥがＢＳにＢＦＲＱを送信した後、ＵＥは、対応するＢＷＰ上のＰＤＣＣＨ上にて、予め構成されたＣＯＲＥＳＥＴ内のＢＦＲＱの応答を監視する。ＣＯＲＥＳＥＴ構成は、ＵＥがＢＷＰ間で切り替わるとき、ＲＲＣシグナリングを介して送信されてもよい。ＣＯＲＥＳＥＴ構成は、持続時間と、周波数領域リソース（例えば、ＢＷＰ内の０ｔｈ物理リソースブロック（ＰＲＢ）と基準位置との間の距離）と、開始ＯＦＤＭシンボルとを含む。
【００３３】
他のいくつかの実装形態では、１つのＣＯＲＥＳＥＴ構成のみが、アクティブＢＷＰのために構成され、ビーム失敗リカバリプロシージャ中にＵＥがデフォルトＢＷＰに切り替わるときに、ＵＥは、ＲＭＳＩ（remaining minimum system information）のＣＯＲＥＳＥＴ構成を監視する。ＵＥは、適格なビームを見つけるために、デフォルトＢＷＰ上のすべてのＳＳブロックを測定しなければならない。その後、ＵＥは、ＲＭＳＩのＣＯＲＥＳＥＴ構成のためのスケジューリング情報を見つけ、ＢＦＲＱの応答を受信するためにＣＯＲＥＳＥＴを監視する。
【００３４】
他のいくつかの実装形態では、ＣＯＲＥＳＥＴ構成がデフォルトＢＷＰに対してのみ構成される。他のＢＷＰのためのＣＯＲＥＳＥＴ構成のスケジューリング情報は、デフォルトＢＷＰ上のＣＯＲＥＳＥＴ構成のスケジューリング情報を介してＢＳによって暗黙的に示される。例えば、デフォルトＢＷＰおよび他のＢＷＰは、デフォルトＢＷＰの時間領域スケジューリング情報および周波数領域スケジューリング情報、ならびにデフォルトＢＷＰのリソースブロックグループ（ＲＢＧ）サイズおよび周波数領域開始ポイントに従って、ＵＥが他のＢＷＰに関するスケジューリング情報を取得することができるように、様々なＲＢＧサイズを適用してもよい。
【００３５】
図４は、本開示の例示的な実施形態に係るワイヤレス通信システムにおけるビーム失敗リカバリプロシージャの概略図４００である。この実施形態では、第１のＢＷＰ（例えば、ＢＷＰ１０）が現在のアクティブＢＷＰであり、第２のＢＷＰ（例えば、ＢＷＰ２０）がデフォルトＢＷＰとして構成される。この方法は、以下のアクションを含む。アクション４１０において、ビーム失敗が示され、ビーム失敗リカバリがアクティブＢＷＰ（例えば、ＢＷＰ１０）上で引き起こされる。一方、ある時点（例えば、ｔ１）でビーム失敗リカバリが引き起こされたとき、ＢＷＰ非アクティビティタイマは停止する。アクション４２０において、ＵＥは、アクティブＢＷＰ（例えば、ＢＷＰ１０）上で、適格ビームを見つけるために測定を実行する。アクション４３０において、ＵＥはアクティブＢＷＰ（例えば、ＢＷＰ１０）上でＢＳにＢＦＲＱを送信する。アクション４４０において、ＵＥはＢＳからのＢＦＲＱの応答（例えば、ビーム失敗リカバリ応答）を、アクティブＢＷＰ（例えば、ＢＷＰ１０）で受信する。これにより、ある時点（例えば、ｔ２）においてビーム失敗リカバリ応答が受信されたとき、ＢＷＰ非アクティビティタイマが開始する。
【００３６】
この実施形態では、ビーム失敗リカバリが引き起こされたときにＢＷＰ非アクティビティタイマが停止するので、ＵＥはデフォルトＢＷＰ（例えば、ＢＷＰ２０）に切り替わらない。すなわち、ＵＥは、ビーム失敗リカバリプロシージャが完了する（すなわち、ＢＳからビーム失敗リカバリ応答を正常に受信する）まで、アクティブＢＷＰ（例えば、ＢＷＰ１０）に留まる。
【００３７】
いくつかの実装形態では、候補ビームを選択する間に、ＵＥは、（例えば、ＲＳの測定を介して）候補ビームの品質に従ってタイマ＿ＢＦＲをリセットするか否かを決定する。例えば、測定されたＲＳの品質が閾値を超える場合、ＵＥは、ビーム失敗リカバリプロシージャを完了するための十分な時間があるようにタイマ＿ＢＦＲを再設定し、これにより、正常な（successful）ビーム失敗リカバリの機会が増加する。一実施形態では、閾値が、ビームリカバリ構成と共にＲＲＣシグナリングによって構成される。
【００３８】
いくつかの実装形態では、この方法が、下りリンク（ＤＬ）ＢＷＰおよび上りリンク（ＵＬ）ＢＷＰがＢＷＰペアとして一緒に構成される、不対スペクトル上で実行されることに留意されたい。いくつかの他の実装形態では、この方法が、ＤＬ  ＢＷＰおよびＵＬ  ＢＷＰが別々に独立して構成される、ペアスペクトル上で実行される。
【００３９】
図５は、本開示の例示的な実施形態に係るワイヤレス通信システムにおけるビーム失敗リカバリプロシージャの概略図５００である。この実施形態では、第１のＢＷＰ（例えば、ＢＷＰ１２）が初期アクティブＢＷＰである。アクション５１０において、ＵＥは、初期アクティブＢＷＰ１２上のサービングＰＤＣＣＨを監視する。アクション５２０において、ＵＥは初期アクティブＢＷＰ（例えば、ＢＷＰ１２）から第２のＢＷＰ（例えば、ＢＷＰ２２）に切り替わる。一実装形態では、第２のＢＷＰ（例えば、ＢＷＰ２２）は、サービス要件（例えば、低レイテンシ）または送信シナリオ制約（例えば、高速列車上）のために、新しいデフォルトＢＷＰとして構成され、ＵＥはＢＳによって構成されたＤＣＩによりＢＷＰ２２に切り替わる。別の実装形態では、ＵＥがＢＳによって構成された切り替えコマンドを受信したとき、初期アクティブＢＷＰ（例えば、ＢＷＰ１２）から第２のＢＷＰ（例えば、ＢＷＰ２２）に切り替わる。
【００４０】
ある時点（例えば、ｔ３）において、ＵＥが初期アクティブＢＷＰ（例えば、ＢＷＰ１２）からデフォルトＢＷＰ（例えば、ＢＷＰ２２）に切り替わった後、ＵＥはデフォルトＢＷＰ（例えば、ＢＷＰ２２）上のサービングＰＤＣＣＨを監視する。アクション５３０において、ビーム失敗が示され、ビーム失敗リカバリプロシージャがデフォルトＢＷＰ２２上で引き起こされ、ＢＷＰ非アクティビティタイマがある時点（例えば、ｔ４）で停止する。
【００４１】
ＢＷＰ（例えば、ＢＷＰ２２）は、新しいデフォルトＢＷＰとして構成されるので、ＵＥは、ＢＷＰ非アクティビティタイマが満了したとき、デフォルトＢＷＰ（例えば、ＢＷＰ２２）に切り替わる。しかしながら、いくつかの実装形態では、ＵＥが、初期アクティブＢＷＰ（例えば、ＢＷＰ１２）上でビーム失敗リカバリプロシージャを引き起こそうと試みてもよい。一実施形態では、初期アクティブＢＷＰ（例えば、ＢＷＰ１２）上のチャネル品質がより良好であるため、ＵＥは初期アクティブＢＷＰ上でビーム失敗リカバリプロシージャを引き起こす。別の実施形態では、初期ＢＷＰで実行されるプロシージャの電力消費が大きいために、ＵＥは、初期アクティブＢＷＰ１でビーム失敗リカバリプロシージャを引き起こす。
【００４２】
例えば、第２のＢＷＰ（例えば、ＢＷＰ２２）が新しいデフォルトＢＷＰとして構成された後に、ＵＥは、初期アクティブＢＷＰのすべての設定を保持してもよい。ＵＥが初期アクティブＢＷＰ（例えば、ＢＷＰ１２）上でビーム失敗リカバリプロシージャを引き起こすことを決定すると、ＵＥは初期アクティブＢＷＰ（例えば、ＢＷＰ１２）を新しいアクティブＢＷＰとみなし、アクション５５０に示すように、ある時点（例えば、ｔ５）で、デフォルトＢＷＰ（例えば、ＢＷＰ２２）から初期アクティブＢＷＰ（例えば、ＢＷＰ１２）に切り替える。
【００４３】
一実施形態では、アクション５４０に示すように、ＵＥがデフォルトＢＷＰ（例えば、ＢＷＰ２２）上で候補ビームを見つける。別の実装形態では、アクション５４２に示すように、ＵＥが初期アクティブＢＷＰ（例えば、ＢＷＰ１２）上で候補ビームを見つける。いくつかの他の実装形態では、ＵＥがデフォルトＢＷＰおよび初期アクティブＢＷＰそれぞれのためのビーム失敗リカバリに応じた、少なくとも２つのＣＯＲＥＳＥＴ構成を用いて構成される。したがって、アクション５４０および５４２に示すように、ＵＥは、デフォルトＢＷＰ（例えば、ＢＷＰ２２）および初期アクティブＢＷＰ（例えば、ＢＷＰ１２）の両方で候補ビームを見つける。
【００４４】
その後、アクション５６０において、ＵＥは、初期アクティブＢＷＰ１２上でＢＳにＢＦＲＱを送信し、初期アクティブＢＷＰ１２上でＢＦＲＱの応答を監視し、タイマ＿ＢＦＲＱが満了するまで初期アクティブＢＷＰ１２上に留まる。一実施形態では、ＵＥは初期アクティブＢＷＰ上に留まり続ける。タイマ＿ＢＦＲＱが満了した後、ＵＥは、ＢＦＲＱを再度送信し、タイマ＿ＢＦＲが満了するまで、初期アクティブＢＷＰのためのビーム失敗リカバリに応じた、予め設定されたＣＯＲＥＳＥＴ構成を監視する。
【００４５】
いくつかの実装形態では、この方法が下りリンク（ＤＬ）ＢＷＰおよび上りリンク（ＵＬ）ＢＷＰがＢＷＰペアとして一緒に構成される、不対スペクトル上で実行されることに留意されたい。いくつかの他の実装形態では、この方法が、ＤＬ  ＢＷＰおよびＵＬ  ＢＷＰが別々に独立して構成される、ペアスペクトル上で実行される。いくつかの実装形態では、ＢＦＲＱは、ＢＦＲＱの応答のためにＵＥによって監視されるＢＷＰを示す、ＢＷＰインデックス、候補ＲＳインデックス、またはＣＯＲＥＳＥＴ構成順序インデックスなどのいくつかの情報を含んでもよい。これにより、アクション５７０において、ＢＳは、初期アクティブＢＷＰ１上でＢＦＲＱの応答をＵＥに送信する。
【００４６】
図６は、本開示の例示的な実施形態に係るワイヤレス通信システムにおけるビーム失敗リカバリプロシージャの概略図６００である。この実装形態では、第１のＢＷＰ（例えば、ＢＷＰ３０）が現在のアクティブＢＷＰであり、第２のＢＷＰ（例えば、ＢＷＰ４０）がデフォルトＢＷＰとして構成され、現在のアクティブＢＷＰ（例えば、ＢＷＰ３０）およびデフォルトＢＷＰ（例えば、ＢＷＰ４０）の両方がサービングＰＤＣＣＨとみなされる。すなわち、ＵＥは現在のアクティブＢＷＰ（例えば、ＢＷＰ３０）およびデフォルトＢＷＰ（例えば、ＢＷＰ４０）上でサービングＰＤＣＣＨの品質を監視する。例えば、アクション６１０において、ＵＥは現在のアクティブＢＷＰ（例えば、ＢＷＰ３０）上でサービングＰＤＣＣＨを監視する。アクション６１２において、ＵＥはデフォルトＢＷＰ（例えば、ＢＷＰ４０）上でサービングＰＤＣＣＨを監視する。いくつかの実装形態では、ＢＳがＵＥのためのＢＷＰ間測定を構成する場合、ＵＥはデフォルトＢＷＰ上でサービングＰＤＣＣＨを測定し続ける。
【００４７】
アクション６２０において、現在のアクティブＢＷＰ（例えば、ＢＷＰ３０）上で部分ビーム失敗プロシージャが引き起こされる。例えば、全てではなく部分的なＰＤＣＣＨのみの品質が期間の閾値未満である場合、部分ビーム失敗リカバリ（ＰＢＦＲ）プロシージャが引き起こされる。いくつかの実装形態では、すべてのサービングＰＤＣＣＨの品質が期間の閾値未満であるとき、ビーム失敗リカバリプロシージャまたは全ビーム失敗リカバリ（ＦＢＦＲ）プロシージャが引き起こされる。いくつかの他の実装形態では、デフォルトＢＷＰ（例えば、ＢＷＰ３０）上のＰＤＣＣＨの品質が依然としてビームオペレーションの要件を満たす場合、全ビーム失敗リカバリプロシージャ（ＦＢＦＲ）は引き起こされない。
【００４８】
アクション６３０において、ＰＢＦＲプロシージャが引き起こされた後に、再度デフォルトＢＷＰ（例えば、ＢＷＰ４０）に切り替わる。アクション６４０において、ＵＥはデフォルトＢＷＰ（例えば、ＢＷＰ４０）上のＰＵＣＣＨをＢＳに送信する。ＢＷＰ非アクティビティタイマが満了する前にＢＳがデフォルトＢＷＰ（例えば、ＢＷＰ４０）上でＰＵＣＣＨを受信したとき、ＢＳはＰＢＦＲプロシージャが現在のアクティブＢＷＰ（例えば、ＢＷＰ３０）上で引き起こされると特定する。
【００４９】
アクション６５０において、ＢＳはデフォルトＢＷＰ（例えば、ＢＷＰ４０）上でビーム管理を構成する。この実装形態では、ＢＳが新しい候補ビームを見つけるために測定を実行するようにＵＥを構成し、第１のＢＷＰ（例えば、ＢＷＰ３０）上でＢＦＲＱの応答を監視する。これにより、アクション６６０において、ＵＥは第１のＢＷＰ（例えば、ＢＷＰ３０）に切り替わる。アクション６７０において、ＵＥは、ＰＢＦＲが引き起こされるＢＷＰ（例えば、ＢＷＰ３０）上で新しい候補ビームを見つける。アクション６８０において、ＵＥはＢＳにＢＦＲＱを送信し、次いで、ＢＦＲＱの応答を監視する。アクション６９０において、ＵＥはＢＦＲＱの応答を受信する。
【００５０】
一実施形態では、異なるビームが第１のＢＷＰ（例えば、ＢＷＰ３０）および第２のＢＷＰ（例えば、ＢＷＰ３０）上で使用される。したがって、ＢＳがＰＵＣＣＨを受信した後、ＢＳはＰＢＦＲが示される第１のＢＷＰ（例えば、ＢＷＰ３０）上で候補ビームを見つけるようにＵＥを構成する。いくつかの実装形態では、ＢＳが前の送信に応じて非周期的なビーム管理プロシージャを引き起こす。いくつかの実装形態では、ＢＳがＵＥ測定報告に従って非周期的なビーム管理プロシージャを引き起こす。
【００５１】
いくつかの他の実装形態では、ＵＥが測定を実行し、ＢＦＲＱの応答を監視するＢＷＰは、ＵＥによって構成される。例えば、ＵＥは、デフォルトで、新しい候補ビームを見つけ、アクティブＢＷＰ上のＢＦＲＱの応答を監視しようと試みてもよい。しかしながら、いくつかの実装形態では、ＵＥのためのＣＯＲＥＳＥＴ構成がＢＳによって割り当てられていない場合、ＵＥはＣＯＲＥＳＥＴ構成を監視するために別のＢＷＰを選択する。いくつかの他の実装形態では、アクティブＢＷＰのサブキャリア間隔（ＳＣＳ）がより大きいために、ＵＥは別のＢＷＰを選択する。いくつかの他の実装形態では、アクティブＢＷＰの帯域幅（ＢＷ）がより大きいので、ＵＥは別のＢＷＰを選択する。
【００５２】
ＰＢＦＲ手順の間、ＵＥは、再度デフォルトＢＷＰに切り替わった後、ＰＵＣＣＨをＢＳに送信するので、ＵＥはデフォルトＢＷＰ上でのＰＤＣＣＨを監視する必要も、ＢＷＰ非アクティビティタイマが満了するのを待つ必要もなく、待ち時間を低減することができる。さらに、ＵＥは、ＰＢＦＲプロシージャが引き起こされたことをＢＳに通知するためにＰＵＣＣＨを送信し、その後、ＢＳは以前の送信または測定に応じてビーム管理プロシージャを引き起こすので、ＵＥは周期的なＲＳ監視によって新しい候補ビームを見つける必要がない。したがって、ＰＢＦＲプロシージャを使用することによって、リソースおよび待ち時間を低減することができる。
【００５３】
ＵＥがデフォルトＢＷＰに切り替わったことをＢＳに通知するために、ＵＥは、ビーム失敗リカバリプロシージャのためのＰＵＣＣＨを使用する。一実装形態では、各ＢＷＰが対応するＰＵＣＣＨリソースで構成されるので、暗黙の方法は、ＢＦＲのためにＰＵＣＣＨリソースのロケーションを使用することである。一例として、部分ビーム失敗が示された、例えば、１つのＢＷＰ（すなわち、アクティブＢＷＰ）のみのＰＤＣＣＨの品質が期間の閾値未満であるとき、ＵＥは即座に、デフォルトＢＷＰに再度切り替わり、ＢＦＲＱを送信するために、適格ビームを有するデフォルトＢＷＰの、予め構成されたＰＵＣＣＨリソースを使用し、次いで、ＢＳは、アクティブＢＷＰ上で新しい候補ビームを見つけるために非周期的ビーム管理を引き起こす。一方、全ビーム失敗が示された、例えば、アクティブＢＷＰ及びデフォルトＢＷＰの両方のＰＤＣＣＨの品質が期間の閾値未満であるとき、ＵＥは、ＢＷＰ非アクティビティタイマが満了するまで、アクティブＢＷＰに対してＦＢＦＲプロシージャを実行する。したがって、非アクティブＢＷＰ（すなわち、デフォルトＢＷＰ）でビーム失敗リカバリプロシージャのためのＰＵＣＣＨリソースが受信されたとき、ＢＳは、ＰＢＦＲが引き起こされたことを確認する。
【００５４】
別の実施形態では、明示的な方法は、ビーム測定結果に関連付けられた上りリンク制御情報（ＵＣＩ）を使用することである。ＰＵＣＣＨは、ＢＷＰ指示、例えば、ＢＷＰインデックス、ＢＷＰ情報、ＢＷＰに応じたビーム情報（異なるビームが各ＢＷＰに適用される場合）を含む。例えば、第１のＢＷＰで部分ビーム失敗が示されたとき、ＵＥは、第１のＢＷＰのＢＷＰインデックスを、ＰＵＣＣＨを介して、第１のＢＷＰのための新しい候補ビーム情報と共に送信する。一方、第１のＢＷＰおよび第２のＢＷＰ上で全ビーム失敗が示されると、ＵＥは、第１のＢＷＰのＢＷＰインデックスおよび第２のＢＷＰのＢＷＰインデックスを、ＰＵＣＣＨを介して、第１のＢＷＰのための新しい候補ビーム情報または第２のＢＷＰのための新しい候補ビーム情報とともに送信する。いくつかの実装形態では全ビーム失敗が示されると、ＰＵＣＣＨはＢＷＰ情報なしでＢＳに送信される。従って、ＢＳは、ＰＵＣＣＨを受信すると、いずれのタイプのビーム失敗リカバリプロシージャが引き起こされるかを決定する。
【００５５】
ＵＥは任意のＢＷＰのＰＵＣＣＨリソースを用いてＵＣＩを送信することを選択してもよく、ＢＳは、ＢＷＰインデックスに応じてビーム失敗が示されるＢＷＰを特定してもよいことに留意されたい。いくつかの実装形態では、ＵＥは、ＵＥがＢＦＲＱの応答を監視するＢＷＰを示すビットインジケータをＢＳに送信する。例えば、「０」は現在のアクティブＢＷＰ上のＰＤＣＣＨを表し、「１」は現在のアクティブＢＷＰ上のＰＤＣＣＨを表す。
【００５６】
別の実施形態では、ＵＥがすでにデフォルトＢＷＰに再度切り替わっていることをＢＳに通知するために、ＵＥはビーム失敗リカバリプロシージャのための無競合ランダムアクセス（ＣＦＲＡ）プロシージャを使用する。それぞれのＢＷＰは対応するＲＡＣＨリソースで構成されるので、暗黙の方法は、ビーム失敗リカバリプロシージャのためにＲＡＣＨリソースのロケーションを使用することである。例えば、部分ビーム失敗が示されたとき、端末は即座に、デフォルトＢＷＰに再度切り替わり、ＢＦＲＱを送信するために、適格ビームを有するデフォルトＢＷＰの予め設定されたＲＡＣＨリソースを使用し、その後、ＢＳは、非周期的ビーム管理を引き起こし、アクティブＢＷＰ上で新たな候補ビームを見つける。一方、全ビーム失敗が示されたとき、ＵＥは、ＢＷＰ非アクティビティタイマが満了するまで、アクティブＢＷＰ上でＦＢＦＲプロシージャを実行する。これにより、非アクティブＢＷＰ（すなわち、デフォルトＢＷＰ）でビーム失敗リカバリプロシージャのためのＲＡＣＨリソースが受信された場合、ＢＳはＰＢＦＲが引き起こされたことを確認する。
【００５７】
別の実施形態では、明示的な方法は、非競合ビーム失敗リカバリ（ＢＦＲ）プリアンブルを使用することである。いくつかのプリアンブルＩＤは、無競合ＢＦＲのために予約される。例えば、ＢＳは、ＢＦＲプリアンブルを含むＭＳＧ１を受信すると、ビーム失敗が示されたことを確認する。これらのプリアンブルＩＤは２つのグループにさらに分類されてもよく、１つのグループ（例えば、プリアンブルＩＤ６０および６１）はＰＢＦＲプロシージャを表し、他のグループ（例えば、プリアンブルＩＤ６２および６３）は、ＦＢＦＲプロシージャを表す。第１のＢＷＰ上で部分ビーム失敗が示されると、ＵＥは、第１のＢＷＰのための新たな候補ビーム情報に応じたＢＦＲプリアンブルＩＤ（例えば、プリアンブルＩＤ６０）を含むＭＳＧ１を送信する。一方、第１のＢＷＰ及び第２のＢＷＰ上で全ビーム失敗が示された場合、端末は、第１のＢＷＰのための新たな候補ビーム情報又は第２のＢＷＰのための新たな候補ビーム情報に応じたＢＦＲプリアンブルＩＤ（例えば、プリアンブルＩＤ６２）を含むＭＳＧ１を送信する。これにより、ＢＳは、ＲＡＣＨを受信すると、ＢＦＲプリアンブルに応じて、いずれのタイプのビーム失敗リカバリプロシージャが引き起こされるかを決定する。なお、ＵＥは任意のＢＷＰのＲＡＣＨリソースを用いて対応するプリアンブルＩＤを送信することを選択してもよく、ＢＳは、ＢＦＲプリアンブルに応じてビーム失敗が示されるＢＷＰを特定してもよい。
【００５８】
図７は、本開示の例示的な実施形態に係るワイヤレス通信システムにおけるビーム失敗リカバリプロシージャのフローチャート７００である。この方法は、以下のアクションを含む。アクション７１０において、第１のＢＷＰ構成、第２のＢＷＰ構成、およびＢＷＰ非アクティビティタイマが、ＢＳによってＵＥに送信される。アクション７２０において、ＵＥからビーム失敗リカバリ要求が受信される。アクション７３０において、ビーム失敗リカバリ要求に応じて、部分ビーム失敗リカバリプロシージャまたは全ビーム失敗リカバリプロシージャのいずれが引き起こされるかが、ＢＳによって特定される。アクション７４０において、部分ビーム失敗リカバリプロシージャが引き起こされたとき、ビーム管理プロシージャが引き起こされる。
【００５９】
上記の説明から、様々な技術が、これらの概念の範囲から逸脱することなく、本出願で説明される概念を実行するために使用され得ることが明らかである。さらに、概念は、特定の実施形態を特に参照して説明されてきたが、当業者は、それらの概念の範囲から逸脱することなく、形態および詳細において変化を行うことができることを認識するであろう。したがって、説明された実施形態は、すべての点において、例示的なものであり、限定的なものではないと考えられるべきである。また、本出願は、上述の特定の実施形態に限定されるものではなく、本開示の範囲から逸脱することなく、多くの再構成、修正、および置換が可能であることを理解されたい。
【図１】
2021505039.tif 000003
【図２】
2021505039.tif 000004
【図３】
2021505039.tif 000005
【図４】
2021505039.tif 000006
【図５】
2021505039.tif 000007
【図６】
2021505039.tif 000008
【図７】
2021505039.tif 000009
【国際調査報告】
2021505039.tif 000010
2021505039.tif 000011
2021505039.tif 000012